【手続補正書】
【提出日】平成31年3月8日(2019.3.8)
【手続補正１】
【補正対象書類名】特許請求の範囲
【補正対象項目名】全文
【補正方法】変更
【補正の内容】
【特許請求の範囲】
【請求項１】
プラウ梁材（１１）に取り付けられた複数のプラウ体（２）を備えたプラウ（１）であって、
前記プラウ体（２）が、土壌（８）を耕起するために前記プラウ梁材（１１）において並んで配置され、
前記プラウ梁材（１１）が、耕起する際に前記プラウ（１）が動く方向である前記プラウ（１）の作業方向（Ａ）に対して垂直に方向付けられていて、
各プラウ体（２）は均一の部品であり、前記作業方向（Ａ）において前方及び後方に傾斜して延在する縁部（２６、２７）を備え、かつ、垂直面で管を縦方向で半分にした形状を有し、
前記プラウ体（２）の各縦軸は、互いに平行で、前記プラウ（１）の作業方向（Ａ）に対して傾斜して方向付けられ、
前記プラウ体（２）は作業方向で互いに相対的にずれておらず、
前記プラウ体（２）の作業方向（Ａ）での前方部分は、それぞれプラウシェア（２１）を形成していて、前記プラウ体（２）の作業方向（Ａ）で前方にある下方自由縁部が、前記作業方向（Ａ）に対して傾斜して、水平面に延在していて、切断縁部（２２）として形成され、
各プラウ体（２）は、その上方領域中で、直接又は少なくとも一つのスペーサ（２０）を間において、前記プラウ梁材（１１）に取り付けられ、
隣接する二つの前記プラウ体（２）間の間隙空間は、通り抜け自由であるプラウ（１）において、
前記プラウ体（２）の前記切断縁部（２２）から上方の縦縁部（２４）までを測定した、それぞれの自由高さ（ｈ）は、前記作業方向（Ａ）の横断方向から見た、前記プラウ（１）の互いに隣接し合う二つのプラウ体（２）の側方間隔（ａ）より大きいことを特徴とするプラウ（１）。
【請求項２】
前記プラウ体（２）の作業方向（Ａ）での中央及び後方部分は、それぞれモールドボード（２３）を形成し、前記モールドボードの上方の縦縁部（２４）は、少なくともその長さの一部に渡って下方を指す方向成分を有することを特徴とする請求項１に記載のプラウ。
【請求項３】
各プラウ体（２）は、その凸面において、角のある支持部材（２５）により支持されていて、前記支持部材（２５）の垂直方向の辺（２５’）は、前記プラウ体（２）の凸面に接線方向に当接していて、前記支持部材（２５）の水平方向の辺（２５”）は、前記プラウ体（２）の凹面の方向を指し、前記プラウ梁材（１１）及び／又は前記プラウ体（２）と連結されていることを特徴とする請求項１又は２に記載のプラウ。
【請求項４】
各プラウ体（２）は一体的に形成されていることを特徴とする請求項１から３のいずれか一項に記載のプラウ。
【請求項５】
各プラウ体（２）は、互いに分離可能又は解除不可能に連結された複数の部分品から形成されていることを特徴とする請求項１から３のいずれか一項に記載のプラウ。
【請求項６】
前記プラウ（１）は、前記プラウ体（２）の前方端部を指す前記プラウの側方で、当接部材（３）を有し、前記当接部材は、垂直面中にあり、作業方向（Ａ）に延在し、前記プラウ梁材（１１）又は一つのプラウ台枠（１０）に取り付けられていて、かつ、運転中に前記土壌（８）の垂直方向の畝縁部（８３）にスライドするように支持可能であることを特徴とする請求項１から５のいずれか一項に記載のプラウ。
【請求項７】
前記当接部材（３）を有する前記プラウ（１）の側方で、前記当接部材（３）の側方の外側で前記プラウ台枠（１０）において、車輪（４）が配置されていて、前記車輪は、運転中に未耕起の土壌面（８１）上を転がることを特徴とする請求項６に記載のプラウ。
【請求項８】
前記当接部材（３）に対向する前記プラウ（１）の側方で、作業方向（Ａ）で、そこの最も外側にある前記プラウ体（２）の前方で、プラウ台枠（１０）において、補助輪（５）が配置されていて、前記補助輪は、運転中に耕起によって生じる、より低い位置にある畝底（８２）と、より高い位置にある未耕起の土壌面（８１）との間の下方角領域中で転がることを特徴とする請求項６又は７に記載のプラウ。
【請求項９】
前記補助輪（５）は、垂直面中で傾斜した回転軸（５０）を有し、前記補助輪（５）の回転面（５１）は、断面で見ると、より低い位置にある前記畝底（８２）と、より高い位置にある未耕起の前記土壌面（８１）との間の前記角領域に合わせられた実質的に直角の輪郭を有することを特徴とする請求項８に記載のプラウ。
【請求項１０】
前記車輪（４）及び／又は前記補助輪（５）は、前記プラウ（１）のその他の部分に対して相対的に高さを変位可能であることを特徴とする請求項７から９のいずれか一項に記載のプラウ。
【請求項１１】
前記車輪（４）と前記補助輪（５）は、後方を指しかつ垂直方向へ旋回可能な共通のレバーアームシステムに軸支されていて、
前記レバーアームシステムを用いて、前記プラウ（１）のその他の部分に対して相対的に高さを変位可能であることを特徴とする請求項１０に記載のプラウ。
【請求項１２】
作業方向（Ａ）で各プラウ体（２）の前方には、その最前方の先端と一列に並んで、それぞれ一つのコールタ（６）が配置されていることを特徴とする請求項１から１１のいずれか一項に記載のプラウ。
【請求項１３】
前記コールタ（６）は、前記プラウ梁材（１１）に対して平行に延在する共通の回転軸（６０）上で自由に回転するディスクコールタであって、滑らかな又は歯状又は鋸歯状の周囲部（５１）を有することを特徴とする請求項１２に記載のプラウ。
【請求項１４】
前記コールタ（６）は、後方を指しかつ垂直方向へ旋回可能な共通のレバーアームシステムに軸支されていて、前記レバーアームシステムを用いて、前記プラウ（１）のその他の部分に対して相対的に高さを変位可能であることを特徴とする請求項１２又は１３に記載のプラウ。
【請求項１５】
最も外側で外側方向を向いたプラウ体（２）の横の外側で、実質的に垂直の衝突壁（７）が、前記最も外側で外側方向を向いたプラウ体（２）により反転させられた土壌材料のために配置されていることを特徴とする請求項１から１４のいずれか一項に記載のプラウ。
【請求項１６】
前記プラウは、その前面で、前記プラウ（１）を、トラクターの規格に合った連結部、例えば三点リンクに、分離可能に取り付けるための規格に合った連結部材（１２）を有することを特徴とする請求項１から１５のいずれか一項に記載のプラウ。
【請求項１７】
前記プラウは、一つ又は複数のさらなる耕作機器を分離可能に取り付けるための接続部材（１３）を有することを特徴とする請求項１から１６のいずれか一項に記載のプラウ。
【請求項１８】
前記連結部材（１２）及び／又は前記接続部材（１３）は、前記プラウ（１）の縦方向で変位可能であり、所望の位置で固定可能であることを特徴とする請求項１６又は１７に記載のプラウ。
【請求項１９】
前記プラウ（１）には、その縦方向に延在する動力取出軸が配置されていて、前記動力取出軸は、前方側で前記プラウ（１）を牽引するトラクターの動力取出軸接続部と連結可能であり、後方側で前記プラウ（１）とその前記接続部材（１３）で接続された耕作機器と連結可能であることを特徴とする請求項１７に記載のプラウ。
【請求項２０】
前記プラウ（１）の側方外側部分と、必要に応じて前記プラウ（１）に接続された耕作機器は、上側に、又は上側及び内側に折り畳み可能に形成されていることを特徴とする請求項１から１９のいずれか一項に記載のプラウ。
【請求項２１】
前記プラウ体（２）は、その凸面に、それぞれ付着防止コーティングが設けられていることを特徴とする請求項１から２０のいずれか一項に記載のプラウ。
【請求項２２】
前記プラウは、第一の実施形態中では右側を耕起するプラウ（１）として、かつ第二の実施形態中では左側を耕起するプラウ（１）として形成され、右側を耕起するプラウ（１）と左側を耕起するプラウ（１）は、前方側及び後方側でトラクターに追加取り付け可能であり、かつ、前記トラクターの前進運転及び後進運転の際に交互に耕起のために採用可能であり、牽引される前記プラウ（１）は、それぞれ耕起を行うプラウ（１）であることを特徴とする請求項１から２１のいずれか一項に記載のプラウ。